(57)【特許請求の範囲】
【請求項１】
被写体を撮像する撮像部と、
前記撮像部から出力される撮像信号に基づいてスルー画を表示する表示部と、
衛星からの信号によりデジタルカメラの位置を計測する位置計測部と、
前記撮像部による撮像方位を検出する方位検出部と、
前記位置計測部により計測された前記位置及び前記方位検出部により検出された前記撮像方位に基づいて、前記被写体の輪郭に関する情報及び前記被写体へのルートに関するルート情報を取得する情報取得部と、
前記情報取得部により取得した前記被写体の輪郭に関する情報に基づいて、前記表示部に表示されている前記スルー画上に、前記被写体の輪郭線を重畳表示する表示制御部と、
前記スルー画上の被写体の輪郭の大きさが前記スルー画上に重畳表示している前記輪郭線の大きさに一致するように、前記スルー画の画角を変更する画角制御部と
を備え、
前記表示制御部は、前記輪郭線と前記被写体の輪郭の大きさが一致したとき、前記ルート情報に基づくルートを前記スルー画上に重畳表示することを特徴とするデジタルカメラ。
【請求項２】
前記情報取得部は、前記被写体に関する詳細情報を取得し、前記表示制御部は、前記スルー画上に前記被写体の詳細情報を重畳表示することを特徴とする請求項１記載のデジタルカメラ
【請求項３】
前記情報取得部は、ネットワークを介して接続された外部装置から前記被写体の輪郭に関する情報、前記ルート情報及び前記詳細情報を取得することを特徴とする請求項２記載のデジタルカメラ。
【請求項４】
該デジタルカメラの上下方向の傾きを検出する傾き検出部を更に備え、
前記情報取得部は、更に前記傾き検出部により検出した前記傾きに基づいて、前記被写体の輪郭に関する情報、前記ルート情報及び前記詳細情報を取得することを特徴とする請求項２または請求項３に記載のデジタルカメラ。
【請求項５】
前記被写体が山の場合には、前記詳細情報に前記山の名称、山の標高、前記ルート情報における所要時間及び前記ルート情報における危険情報の少なくとも一つを含むことを特徴とする請求項２〜４の何れか一項に記載のデジタルカメラ。
【発明の詳細な説明】
【技術分野】
【０００１】
本発明は、デジタルカメラに関するものである。
【背景技術】
【０００２】
従来、被撮像物の位置に応じて、ディスプレイに表示されている地図情報上に画像マークを重畳表示するナビゲーション装置が存在する（例えば、特許文献１参照）。
【先行技術文献】
【特許文献】
【０００３】
【特許文献１】特開２００４−７７６５５号公報
【発明の概要】
【発明が解決しようとする課題】
【０００４】
しかしながら、上述のナビゲーション装置においては、地図情報上に表示される画像マークはその位置に関する画像が存在することを示すだけでありディスプレイに表示されている被写体を識別するための情報の表示を行うことはできなかった。
【０００５】
本発明の目的は、表示部に表示される被写体を識別するための情報を表示することができるデジタルカメラを提供することである。
【課題を解決するための手段】
【０００６】
本発明のデジタルカメラは、被写体を撮像する撮像部と、前記撮像部から出力される撮像信号に基づいてスルー画を表示する表示部と、衛星からの信号によりデジタルカメラの位置を計測する位置計測部と、前記撮像部による撮像方位を検出する方位検出部と、前記位置計測部により計測された前記位置及び前記方位検出部により検出された前記撮像方位に基づいて、前記被写体の輪郭に関する情報及び前記被写体へのルートに関するルート情報を取得する情報取得部と、前記情報取得部により取得した前記被写体の輪郭に関する情報に基づいて、前記表示部に表示されている前記スルー画上に、前記被写体の輪郭線を重畳表示する表示制御部と、前記スルー画上の被写体の輪郭の大きさが前記スルー画上に重畳表示している前記輪郭線の大きさに一致するように、前記スルー画の画角を変更する画角制御部とを備え、前記表示制御部は、前記輪郭線と前記被写体の輪郭の大きさが一致したとき、前記ルート情報に基づくルートを前記スルー画上に重畳表示することを特徴とする。
【発明の効果】
【０００７】
本発明によれば、表示部に表示される被写体を識別するための情報を表示することができる。
【図面の簡単な説明】
【０００８】
【図１】実施の形態に係るカメラのシステム構成を示すブロック図である。
【図２】実施の形態に係るカメラの輪郭線の表示処理を示すフローチャートである。
【図３】実施の形態に係るＬＣＤ表示部における表示状態を示す図である。
【図４】実施の形態に係るＬＣＤ表示部における表示状態を示す図である。
【図５】実施の形態に係るＬＣＤ表示部における表示状態を示す図である。
【図６】実施の形態に係るカメラのルート情報の表示処理を示すフローチャートである。
【図７】実施の形態に係るＬＣＤ表示部における表示状態を示す図である。
【図８】実施の形態に係るＬＣＤ表示部における表示状態を示す図である。
【図９】実施の形態に係るカメラの日の入り情報の表示処理を示すフローチャートである。
【図１０】実施の形態に係るＬＣＤ表示部における表示状態を示す図である。
【発明を実施するための形態】
【０００９】
以下、図面を参照して、本発明の実施の形態に係るデジタルカメラ（以下、カメラという。）について説明する。図１は、実施の形態に係るカメラのシステム構成を示すブロック図である。図１に示すように、カメラ２は、カメラ２の各部を統括的に制御するＣＰＵ４を備えている。ＣＰＵ４には、ＧＰＳ衛星から受信した信号に基づいて自己位置を測定するＧＰＳ６、カメラ２の撮影方位を計測する方位センサ８、水平面に対するカメラ２の傾斜角度を計測する傾斜角センサ１０が接続されている。また、スルー画等を表示するＬＣＤ表示部１４の表示制御を行う表示制御部１２、被写体を撮像する撮像部１６、撮像部１６から出力された撮像信号から生成された画像データを一時的に記憶する記憶部１８、位置情報や方位情報等を記憶する情報記憶部２０、Ｅｘｉｆ等の所定のファイル形式で画像データを記憶するメモリカード２２、インターネットを介して外部装置（例えば、Ｗｅｂサーバ）と無線通信を行う無線通信部２６及び操作部２８が接続されている。ここで、撮像部１６は、撮像画角を変更可能な撮像光学系と、撮像光学系により結像された被写体の像を光電変換し、画像信号として出力する撮像素子とを含んでいる。また、操作部２８は、カメラ２の電源をオン／オフする電源スイッチ、レリーズボタン、メニューボタン、モニタボタン等を含んでいる。
【００１０】
次に、図２のフローチャートを参照して実施の形態に係るカメラ２の表示処理について説明する。先ず操作者が操作部２８の電源スイッチをオンにすると、ＣＰＵ４は、撮像部１６により所定のフレームレートで主要被写体を含む領域の撮像を行う（ステップＳ１）。そして、ＣＰＵ４は、表示制御部１２を制御して撮像部１６から出力された撮像信号に基づいてスルー画をＬＣＤ表示部１４に表示する（ステップＳ２）。例えば、操作者が主要被写体（例えば、山）を撮像するためにカメラ２を山の方向に向けた場合には、ＬＣＤ表示部１４には山のスルー画が表示される。
【００１１】
また、ＣＰＵ４は、ＧＰＳ６によりＧＰＳ衛星から受信した信号に基づいてカメラ２の現在位置である緯度と経度を計測し（ステップＳ３）、方位センサ８によりカメラ２の撮影方位を計測し（ステップＳ４）、計測された緯度、経度及び撮影方位を情報記憶部２０に記憶する。次に、情報記憶部２０に記憶されている計測結果（緯度、経度及び撮影方位）に基づいて、記憶部１８の中に主要被写体である山の輪郭に関する情報及び山に関する詳細情報が記憶されているか否かを判別する（ステップＳ５）。即ち、ＣＰＵ４は、情報記憶部２０に記憶されている緯度及び経度で示されるカメラ２の現在位置を基準として、撮影方位の方向に存在する主要被写体である山の輪郭に関する情報及び山に関する詳細情報が記憶部１８に記憶されているか否かを判別する。記憶部１８に記憶されている場合には（ステップＳ５，Ｙｅｓ）、記憶部１８から山の輪郭に関する情報及び山に関する詳細情報を取得する（ステップＳ６）。
【００１２】
一方、ＣＰＵ４は、記憶部１８に記憶されていないと判別した場合には（ステップＳ５，Ｎｏ）、無線通信部２６を介してネットワーク上に存在するＷｅｂサーバに対して、情報記憶部２０に記憶されている計測結果（緯度、経度及び撮影方位）を送信する。そして、ＣＰＵ４は、計測結果（緯度、経度及び撮影方位）に基づいてＷｅｂサーバから送信される山の輪郭に関する情報及び山に関する詳細情報を取得する（ステップＳ７）。
【００１３】
そして、ＣＰＵ４は、撮像光学系の画角を所定の焦点距離へ移動させた上で、図３に示すように、表示制御部１２を制御してステップＳ６またはステップＳ７において取得した山の輪郭に関する情報に基づいて、ＬＣＤ表示部１４に表示されているスルー画上に山の輪郭線３０を重畳表示する（ステップＳ８）。ＣＰＵ４は、スルー画に表示されている山の画像を解析して、スルー画上に重畳表示した山の輪郭線３０とスルー画として表示されている山の輪郭の大きさが略一致しているか否かを判別する（ステップＳ９）。ここで、図３に示す場合には、略一致していないと判別されるため（ステップＳ９，Ｎｏ）、ＣＰＵ４は、図４に示すように、山の輪郭線３０とＬＣＤ表示部１４にスルー画として表示されている山の輪郭とが略一致するように撮像光学系の画角を変更する（ステップＳ１０）。ステップＳ９においてスルー画上に重畳表示した山の輪郭線３０とスルー画に表示されている山の輪郭の大きさが略一致していると判別された場合（ステップＳ９，Ｙｅｓ）及びステップＳ１０で画角の変更を行った場合に、ＣＰＵ４は、表示制御部１２を制御して山に関する詳細情報である山の名称及び山の標高等を、ＬＣＤ表示部１４に表示されているスルー画上に重畳表示する（ステップＳ１１）。図４に示す状態においては、スルー画の山の輪郭とスルー画上に重畳表示された山の輪郭線３０とが重なっていない。従って、操作者がカメラ２の姿勢を変更することにより、ＬＣＤ表示部１４に表示されている山の構図が調整され、図５に示すように山の輪郭線３０とスルー画上の山の輪郭を略一致させる。
【００１４】
本発明の実施の形態に係るカメラによれば、ＬＣＤ表示部に表示されるスルー画として表示されている被写体の山に、山の輪郭線及び山を識別するための詳細情報を重畳表示することができるため、ＬＣＤ表示部に表示される被写体を容易に識別することができる。
【００１５】
なお、上述の実施の形態において、スルー画上に山頂までのルート情報、日の出または日の入りの情報を重畳表示するようにしてもよい。この場合には、ＣＰＵ４は、図６のフローチャートに示すように、操作者による操作部２８の操作により、山頂までルート情報を重畳表示させる旨が指示された場合には（ステップＳ１１，Ｙｅｓ）、ＣＰＵ４は、図７に示すように、表示制御部１２を制御してＬＣＤ表示部１４に表示されているスルー画上に山頂までのルート情報３２及びルート上の各地点までの所要時間を重畳表示する（ステップＳ１２）。なお、ここで重畳表示されるルート情報３２及びルート上の各地点までの所要時間等は、図２のステップＳ６またはステップＳ７で取得した詳細情報に含まれているものとする。また、スルー画上にルートの一部行程しか表示されない場合は、カメラをルートの続きを見たい方向にパンニングやチルティングすることにより、ルートの続きをスルー画上に重畳した形で連続的に表示する。また、操作者が更に詳細な情報の重畳表示を指示した場合には（ステップＳ１３）、ＣＰＵ４は、図８に示すようにスルー画上に詳細情報（山の名称、山の標高、水平距離、高低差、沿面距離、山頂までの所要時間及び山頂に到着する予定時刻）３４を重畳表示する（ステップＳ１４）。なお、スルー画上に山頂までのルート情報及び詳細な情報を重畳表示する際に、山頂までのルート毎のルートの険しさの情報、残雪の状況、ガスのかかり具合及び天候等を表示するようにしてもよい。
【００１６】
また、ＣＰＵ４は、図９のフローチャートに示すように、操作者による操作部２８の操作により、スルー画上に日の出または日の入りの情報を重畳表示させる旨の指示がされた場合には（ステップＳ２１，Ｙｅｓ）、図１０に示すように、ＬＣＤ表示部１４に表示されているスルー画上に日の出または日の入りの位置・予定時刻を重畳表示する（ステップＳ２２）。なお、ここで重畳表示される日の出または日の入りの情報は、図２のステップＳ６またはステップＳ７で取得した詳細情報に含まれているものとする。これにより、日の出または日の入りの瞬間を見逃すことなく確実にその瞬間を見ることができる。また、その瞬間を確実に撮影することができる。
【００１７】
また、上述の実施の形態において、ＣＰＵ４は、ステップＳ４の処理の後に傾斜角センサ１０によりカメラ２の傾斜角度を計測してもよい。この場合には、情報記憶部２０には計測された緯度、経度、撮影方位及び傾斜角度が記憶される。また、ステップＳ５においては、ＣＰＵ４は、情報記憶部２０に記憶されている計測結果（緯度、経度、撮影方位及び傾斜角度）に基づいて、記憶部１８または無線通信部２６を介してＷｅｂサーバ等から、スルー画に表示されている山の輪郭に関する情報及び山に関する詳細情報を取得して、スルー画に表示されている山に輪郭線を重畳表示する。これにより、操作者から見て近くに存在する山の後方にそれより大きい他の山が存在する場合等において、後方の山の下部が前方の山でかくれていても、後方の山を主要被写体として特定し、その山の輪郭に関する情報及びその山に関する詳細情報を取得してスルー画上に重畳表示することができる。
【００１８】
また、上述の実施の形態において、図７に示すスルー画上に重畳表示されたルート情報３２上に、ルート付近に存在する名所、例えば、滝の場所、高山植物が咲いている場所、特定の動物が現れる場所等を重畳表示してもよい。なお、ここで重畳表示される名所の情報は、図２のステップＳ６またはステップＳ７で取得した詳細情報に含まれているものとする。
【００１９】
また、上述の実施の形態において、図７に示すスルー画上に重畳表示されたルート情報３２上に山荘等から無線通信を介して取得したルート上の各地点における最新の天気の情報または山荘の詳細情報（例えば、宿泊料金、収容人数、食事の時間、飲食メニュー等）を重畳表示してもよい。この場合には、操作者による操作部２８の操作により、無線通信部２６を介して山荘に対して宿泊または食事等の予約をする旨の情報を送信してもよい。
【００２０】
また、上述の実施の形態において、カメラ２を山頂に向かうルート方向に向けた場合に、現在、スルー画として表示されているルートの先に存在する場所の情報をスルー画上に重畳表示してもよい。例えば、ルートの先に分岐点がある場合には、詳細情報として分岐点がある旨を示す表示、例えば、「この先分岐点まで約３００ｍです。」等と共に分岐点の画像をスルー画上に重畳表示する。また、分岐点の画像と共に分岐点の各方向の先にあるものを示す表示、例えば、「この先山頂まで約２ｋｍです。」または「この先行き止りです。」等をスルー画上に重畳表示するようにしてもよい。なお、ＣＰＵ４は、カメラ２が移動している場合には、記憶部１８または無線通信部２６を介してＷｅｂサーバ等から、ルートの先に存在する場所の情報を順次取得して、スルー画上に重畳表示するようにしてもよい。このような表示を行うことにより、山の山頂まで登る際に遭難または事故に遭遇することを防止することができる。
【００２１】
また、上述の実施の形態において、無線通信部２６を介してＷｅｂサーバ等から、天候、季節または時間帯等に応じた現在位置からの眺望の画像を取得してもよい。例えば、悪天候のため山が明確に見えないときに、操作者により天候が晴れの場合における眺望の画像の表示が指示された場合には、ＣＰＵ４は、無線通信部２６を介してＷｅｂサーバに対して、計測結果（緯度、経度及び撮影方位）及び天候が晴れの場合における眺望の画像を要求する旨の情報を送信する。そして、無線通信部２６を介してＷｅｂサーバから天候が晴れの場合における現在位置からの眺望の画像を取得した場合には、取得した画像をＬＣＤ表示部１４に表示する。これにより、悪天候のため山が明確に見えないときでも、天候が晴れの場合における現在位置からの眺望を見ることができる。また、Ｗｅｂサーバから取得した現在位置からの眺望の画像を背景に用いて被写体を撮影できるようにしてもよい。
【００２２】
また、操作者により各季節または時間帯（朝方または夕方）における眺望の画像の表示が指示された場合には、ＣＰＵ４は、無線通信部２６を介してＷｅｂサーバから季節または時間帯における現在位置からの眺望の画像を取得し、取得した画像をＬＣＤ表示部１４に表示する。これにより、現在位置から実際に見ることができない眺望の画像を見ることができる。
【００２３】
また、上述の実施の形態において、スルー画に表示されている特定の山の山頂からの眺望の画像をＬＣＤ表示部１４に表示してもよい。この場合には、操作者による操作部２８の操作により、スルー画に表示されている所定の山が特定されると、ＣＰＵ４は、無線通信部２６を介してＷｅｂサーバ等から、特定された山に関する情報、例えば複数の眺望方向における山頂からの眺望の画像等を取得する。そして、表示制御部１２により、取得した所定の眺望方向における山頂からの眺望の画像をＬＣＤ表示部１４に表示する。これにより、スルー画が表示されている山の山頂からの眺望を山に登ることなく見ることができる。
【００２４】
また、上述の実施の形態においては、スルー画上の主要被写体に輪郭線を重畳表示する際の画角変更を、撮像光学系の焦点距離の変更により行っているが、撮像部１６により撮像されたスルー画像に対して電子的な拡大／縮小処理を施す電子ズームにより画角変更を行ってもよい。
【００２５】
また、上述の実施の形態においては、山を主要被写体としているが、街中の建物等、例えば、ビル、展望台等を主要被写体としてもよい。この場合には、スルー画として表示されているビル、展望台等に輪郭線が重畳表示され、更に詳細情報、例えば、ビル、展望台の名称、入場料、営業時間、周辺の施設、河川、湖沼及び混雑街等を重畳表示するようにしてもよい。これによりスルー画に表示されている街中の建物等の詳細情報を容易に知ることができる。
【符号の説明】
【００２６】
２…カメラ、４…ＣＰＵ、６…ＧＰＳ、８…方位センサ、１０…傾斜角センサ、１２…表示制御部、１４…ＬＣＤ表示部、１６…撮像部、２６…無線通信部。
【図１】
0005488294.tif 000002
【図２】
0005488294.tif 000003
【図３】
0005488294.tif 000004
【図４】
0005488294.tif 000005
【図５】
0005488294.tif 000006
【図６】
0005488294.tif 000007
【図７】
0005488294.tif 000008
【図８】
0005488294.tif 000009
【図９】
0005488294.tif 000010
【図１０】
0005488294.tif 000011